(57)【要約】      （修正有）【課題】折畳、組立が簡単容易で誰でも容易に出来て、軽くて小容量になり、輸送や貯蔵も小面積で、組立も容易であって、一度災害に会えば直に組立て出来て、有益である軽便トイレを提供する。【解決手段】軽便トイレ１の、軽便トイレの排便口に当る部に、係合する排便口体２を、チャンネル状の鋼材で形成するとともに、排出口体２の両端側面に、同じくチャンネル状の鋼板で、断面コ字状の支持板体３を固着するとともに、断面コ字状の支持板体３をおのおの支持板体３に対して上面十文字状になるように固着して、支持本体４を構成するものである。便槽袋体５の非便口６の各上布を延長した各４片にはその端部に図示してないがチャックを取付けて、便槽袋体５の側面部に折り曲げ取付ておいて便槽袋体６が満杯となって取外し、取替える際に、便槽体５の開口部を各４片を各チャックして、汚物の流出を防水する。【選択図】図１
2012228495.tif 000002
【特許請求の範囲】
【請求項１】
麺類を製造し、又おかず等を調理して各設けて、該麺類とおかず等をそれぞれ各食用出来るように煮たてして、各麺類とおかず等を定量の一人分を角状にラップ等で包んで成して、各麺類とおかず等をそれぞれ適当な箱に立詰めにして、この各麺類箱とおかず等を入箱の各食料品箱を瞬間冷蔵庫に入庫保管して、大災害に備えて備蓄構成した大災害において直ちに食料を供給できる様にした麺類、おかずなどの食料品類。
【請求項２】
大地震の起る地域の各避難所や集会所及その地域の全家庭に各その各人員数に合せてその人数に足る数量と入庫備蓄しておいて、大災害時に沸騰したお湯で解凍して、直ちに食用に供するよう構成した請求項１記載の大災害時における麺類、おかずなどの食料品類。
【発明の詳細な説明】
【技術の分野】
【０００１】  本発明は、大災害における軽便トイレに関する。
【背景の分野】
【０００２】  従来より公私用の水洗トイレは、断水すると全使用する事が出来なくなり、特に大災害において断水すると通水するまで数日、数週間使用不可能になる重大な事態である。
【０００３】  特に公私の避難所、集合所では早急に簡易トイレを設置するこたが出来る、大災害時には設置するにも限度がある。
【先行技術文献】
【特許文献１】  特許第４５４６９４２号公報
【０００４】
【非特許文献１】
【０００５】  トイレに直接関係はないが、トイレに非常時に、上記特許第４５４６９４２号を設置しておいて直ちに接続できるように用意しておけば水の使用は通常に用便することが出来るものである。
【発明の概要】
【発明が解決しようとする課題】
【０００６】  以上述べた様に、従来の発明（トイレ）は、大災害に一度遭遇すると全く無用の長物として全く使用に絶えずその用途を発揮し得ないものとなってしまうものである。【０００７】  本発明はこの様な従来の構成（トイレ）が有している問題を解決するものであり、これに代わる水なしでも使用、用便できる、軽便トイレを実現して、提供することを目的とする。【０００８】  そして本発明は、上記の目的を達成するために、軽便トイレの汚物槽が満タンになれば、この汚物槽を、取替え移動することが出来るようにして早急に処分すて不便を生じないように構成したものである。【０００９】  さらに本発明は目的達成のために、公私設の避難所に、その避難所に避難するであろう人員を予め勘案して、これに足る員数量を用意しておき、災害時には即時に組立して困難なく使用できる様にした、組立式に設けた軽便トイレである。【００１０】  上記第一の解決手段は、三個に分解してあってただ積重ねて一個に折畳み出来る、軽便トイレであって、容易に組立て分解出来るように構成したものであるので、輸送は大量に運送できて、なお収納は小面積で積重ね出来て、有用な特徴を有する。
【発明の効果】
【００１１】  上記の様に本発明は、折畳、組立が簡単容易であるので誰でも容易に出来て、軽くて小容量になるので、このような輸送や貯蔵も小面積で、組立も容易であって、一度災害に会えば直に組立て出来て、有益である軽便トイレを提供出来るのである。【００１２】  また満杯になれば、取外し、取替えが容易にできるのでその処理に、有効な効果を発揮できるものである。
【図面の簡単な説明】
【００１３】
【図１】  本発明の実施形態を示す断面側面図。
【図２】  軽便トイレの本体の用部を示す平面図。
【図３】  同本体の側板の取付状態を示す一部断面正面図。
【発明を実施するための課題】
【００１４】  図において１は、軽便トイレで、２は、軽便トイレの後述する排便口に当る部に、係合する排便口体で、チャンネル状の鋼材で形成するとともに、該排出口体２の両端側面に、同じくチャンネル状の鋼板で、断面コ字状の支持板体３を固着するとともに、断面コ字状の該支持板体３をおのおの該支持板体３に対して上面十文字状になるように固着して、支持本体４を構成するものである。
【００１５】  図の５は立体角状の便槽袋体で、その中央部に支持板体３の排便口体２に係合する、排便口６を開口するとともに、該排便口６の各開部の４辺を合致させてそれぞれ延長して、取付片７を設け、各該取付片７を、排便口体２の各４口体をそれぞれ跨いて便槽袋体５の後述する相当面部に取付けして形成する。
【００１６】  この際、便槽袋体５は、強度の布などで水漏れを防止する加工を施して設けたものである。
【００１７】  なお、便槽袋体５の非便口６の各上布を延長した各４片にはその端部に図示してないがチャックを取付けて、便槽袋体５の側面部に折り曲げ取付ておいて後述する便槽袋体６が満杯となって取外し、取替える際に、該便槽体５の開口部を各４片を各チャックして、汚物の流出を防水するものにして便槽袋体５を構成する。
【００１８】  更に、便槽袋体５の、角隅部には吊土具８をそれぞれ取付て、該便槽袋体５を後述するが吊上げする際に、図示してないが鍵などで吊上げする際に引掛けする吊土具８である。
【００１９】  図において、９は４枚からなる側板本体９で、各該側板本体９の両端部に短筒片１０を数個取付けて、両板を衝合すれば、各短筒片１０が上下交互に容当って１本の長筒１１部を係合させる様に取付けして、この長筒１１に心棒１２を挿通して、４枚の各板で１個の側板体９を設けて構成する。
【００２０】  而して、側壁板体９の各短筒片１０の側部に後述する踏板１７の止片１３を受止めする小円筒１４を取付けるとともに、側壁板体９の各板の中央上部辺に上部支持板体３、３ａ、３ｂの折曲部１５を受止めする折面Ｌ状の鍵片１６を取付けて、側壁板体９を設けて構成する。
【００２１】  以上、上記の構成の作動を説明すると、先ず上記の側壁板体９を構成して、支持板体３、３ａ、３ｂの各折曲部１５を、該側壁板体９の各鍵片１６に引掛して下部を形成して、該側壁板体９の上位部に踏板１７の中央開口部に便器体１８を取付けて、該踏板１７の各隅に取付てある止片１３を、側壁板体９の小円筒１４に差込んで固着して、形成して、軽便トイレ１を構成する。
【００２２】  尚軽便トイレ１は、各家庭の庭などの適当の土中に、組立を行って埋設して備蓄することもよい、庭等の面積をとることもなく、また通常、全く気にする事もないので有為である。
【００２３】  また数階の団地の家庭には各家庭で用意、備蓄しておけば自由に使用できる。
【００２４】  尚軽便トイレ１を使用する際は該軽便トイレ上に従来よりある通常のテントで囲んで使用する。
【００２５】  上記の様に本発明は、大災害の発生をされてある地域の全避難集合所、更にその地域の全家庭や上記の如く庭などに埋設しておいてその相当分を備蓄することが望ましい、否備蓄すべきである。
【符号の説明】
【００２６】  １・・・・・軽便トイレ
２・・・・・排便口体
３・・・・・支持板体
４・・・・・支持本体
５・・・・・便槽袋体
９・・・・・側壁板体
１０・・・・・短筒片
１１・・・・・長筒
１２・・・・・心棒
１７・・・・・踏板
１８・・・・・排便器体
【図１】
2012228495.tif 000003
【図２】
2012228495.tif 000004
【図３】
2012228495.tif 000005